(57)【特許請求の範囲】
【請求項１】
外部電源を動作電力とする投射型表示装置において、
画像を投射する画像投射部を備える装置本体と、
装置本体が有する通気用の開口部を開閉するシャッターと、
前記外部電源からの電力を蓄電し、前記外部電源の遮断時に蓄電電力を動作電力として供給する蓄電部と、
前記外部電源の電力供給停止を検出すると、その停止時間に基づいて瞬時停電か否かを判定し、瞬時停電でないと判定した場合に、前記外部電源の遮断と検出する遮断検出部と、
前記外部電源の遮断が検出された場合に、前記装置本体の消費電力を低減する状態へ移行させるとともに、前記シャッターを閉駆動させる制御部とを備え、
前記画像投射部は、画像投射用の光を射出する光源と、前記光源を駆動する光源駆動部とを有し、
前記制御部は、前記外部電源の電力供給停止が検出されると、前記光源駆動部により前記光源の射出光量を低減させ、前記外部電源の遮断が検出された場合に、前記光源駆動部により前記光源を駆動停止させることを特徴とする投射型表示装置。
【請求項２】
前記装置本体は、前記開口部に通気させるファン、前記光源からの光を変調する液晶パネル、音声を出力する音声出力部、及び、所定の信号を外部出力する出力端子の少なくともいずれかを有し、
前記制御部は、前記外部電源の遮断が検出された場合に、前記ファンの駆動停止、前記液晶パネルの電荷抜き処理後の駆動停止、前記音声出力部の駆動停止、及び、前記出力端子の駆動停止の少なくともいずれかを行うことを特徴とする請求項１に記載の投射型表示装置。
【請求項３】
前記シャッターは、ソレノイドの駆動で開閉し、
前記制御部は、前記ソレノイドに通電して前記シャッターを閉駆動させることを特徴とする請求項１又は２に記載の投射型表示装置。
【請求項４】
前記シャッターは、当該シャッターを閉側に付勢する付勢部材を有し、
前記シャッター駆動部は、前記ソレノイドの保持力を開放して前記付勢部材の付勢力によって前記シャッターを閉じることを特徴とする請求項３に記載の投射型表示装置。
【請求項５】
前記装置本体は、防塵フィルターが設けられる吸気口と、防塵フィルターが設けられることなく開口して前記通気用の開口部となる排気口とを有し、前記防塵フィルターと前記排気口を開閉する前記シャッターとによって、前記装置本体を防塵可能に構成されていることを特徴とする請求項１乃至４のいずれかに記載の投射型表示装置。
【請求項６】
画像を投射する画像投射部を備える装置本体と、装置本体が有する通気用の開口部を開閉するシャッターとを備え、外部電源を動作電力とする投射型表示装置の制御方法において、
前記外部電源の電力供給停止を検出すると、その停止時間に基づいて瞬時停電か否かを判定し、瞬時停電でないと判定した場合に、前記外部電源の遮断と検出するステップと、
前記外部電源の遮断が検出された場合に、前記外部電源からの電力を蓄電する蓄電部からの蓄電電力を用いて、前記装置本体の消費電力を低減する状態へ移行させるとともに、前記シャッターを閉駆動させる制御ステップとを備え、
前記制御ステップでは、前記外部電源の電力供給停止が検出されると、前記光源の射出光量を低減させ、前記外部電源の遮断が検出された場合に、前記光源を駆動停止させることを特徴とする投射型表示装置の制御方法。
【発明の詳細な説明】
【技術分野】
【０００１】
本発明は、通気用の開口部を開閉するシャッターを有する投射型表示装置及びその制御方法に関する。
【背景技術】
【０００２】
投射型表示装置（プロジェクター）には、排気口（通気用の開口部）を開閉する開閉機構（シャッター）を有し、この開閉機構の駆動源に駆動モーターを使用するものが提案されている（例えば、特許文献１，２参照）。この種の投射型表示装置は、外部電源を動作電力として動作するのが一般的であり、当該投射型表示装置から延びる電源ケーブルをプラグを介してコンセントに接続することによって動作可能となる。
特許文献１の構成は、プラグが抜かれると開閉機構を駆動できず、排気口を閉めることができない構成である。排気口が閉まらないと、塵や虫が侵入してしまう。また、従来の構成では、駆動モーターによって開閉機構を駆動するため、排気口が完全に閉じるまでに時間を要し、ユーザーが完全に閉じるまで待たなくてはならなかった。この場合、完全に閉じる前にユーザーがプラグを抜いてしまい、排気口が開いたままになってしまうおそれもある。
一方、特許文献２には、外部電源の遮断を検出したら、予備電源部から電力を供給し、所定時間だけ冷却装置で冷却を行った後に排気口を閉にする構成が記載されている。
【先行技術文献】
【特許文献】
【０００３】
【特許文献１】特許第３４５３７７５号公報
【特許文献２】特開２００９−９８４８１号公報
【発明の概要】
【発明が解決しようとする課題】
【０００４】
しかしながら、特許文献２の構成では、外部電源の遮断後に冷却装置に電力を供給する必要がある。このため、排気口を閉じる前に電力を消費してしまい、排気口を閉じることができないおそれが生じ、また、予備電源部が大容量化してしまう。
外部電源遮断時に排気口が閉じない状態は、特に、粉塵が多い地域で使用できるように防塵対策を施した投射型表示装置、つまり、防塵タイプの投射型表示装置（防塵プロジェクター）にとっては望ましくない。
本発明は、上述した事情を鑑みてなされたものであり、外部電源の遮断時に確実に開口部を閉じることが可能な投射型表示装置及びその制御方法を提供することを目的としている。
【課題を解決するための手段】
【０００５】
上記目的を達成するために、本発明は、外部電源を動作電力とする投射型表示装置において、画像を投射する画像投射部を備える装置本体と、装置本体が有する通気用の開口部を開閉するシャッターと、前記外部電源からの電力を蓄電し、前記外部電源の遮断時に蓄電電力を動作電力として供給する蓄電部と、前記外部電源の電力供給停止を検出すると、その停止時間に基づいて瞬時停電か否かを判定し、瞬時停電でないと判定した場合に、前記外部電源の遮断と検出する遮断検出部と、前記外部電源の遮断が検出された場合に、前記装置本体の消費電力を低減する状態へ移行させるとともに、前記シャッターを閉駆動させる制御部とを備え、前記画像投射部は、画像投射用の光を射出する光源と、前記光源を駆動する光源駆動部とを有し、前記制御部は、前記外部電源の電力供給停止が検出されると、前記光源駆動部により前記光源の射出光量を低減させ、前記外部電源の遮断が検出された場合に、前記光源駆動部により前記光源を駆動停止させることを特徴とする。
この構成によれば、外部電源の遮断が検出された場合に、装置本体の消費電力を低減する状態へ移行させるとともに、シャッターを閉駆動させるので、シャッター制御に無関係な部分の消費電力を抑え、蓄電部に蓄えられる限りある電力をシャッターの閉駆動に割り振ることができ、外部電源の遮断時に確実に開口部を閉じることができる。また、無駄な電力消費を抑えるとともに、電源内部の蓄電部品を最適化することにより、コストやサイズも小さくできる。
【０００６】
また、瞬時停電と外部電源の遮断とを切り分けることで、誤動作の発生を抑えることができる。また、瞬時停電の場合は、投射型表示装置を継続動作させることができ、使い勝手が向上する。
すなわち、放電ランプを投射型表示装置の光源装置として採用した場合、一旦消灯した放電ランプを再点灯するには一定の待ち時間を必要とするところ、本発明の構成によれば、ごく短時間の瞬時停電が生じて外部電源の電圧低下が検出されても、直ちに光源装置への電力供給を停止しないので、放電ランプの点灯を継続することができる。外部電源の電圧低下を検出したときに、直ちに放電ランプへの電力供給を停止する構成の場合、放電ランプの再点灯に必要な待ち時間が経過するまで画像を表示することができないのに対して、本発明の構成ではそのような問題が生じない。
【０００７】
また、停電時或いはプラグが抜かれると直ちに光源の消費電力を低減することができ、蓄電部の蓄電電力の節約を図ることができる。
【０００８】
また、上記構成において、前記装置本体は、前記開口部に通気させるファン、前記光源からの光を変調する液晶パネル、音声を出力する音声出力部、及び、所定の信号を外部出力する出力端子の少なくともいずれかを有し、前記制御部は、前記外部電源の遮断が検出された場合に、前記ファンの駆動停止、前記液晶パネルの電荷抜き処理後の駆動停止、前記音声出力部の駆動停止、及び、前記出力端子の駆動停止の少なくともいずれかを行うようにしてもよい。この構成によれば、シャッター制御に関係のない部分を駆動停止させることができ、電力消費を抑え、シャッターの閉駆動に必要な電力を確保できる。
【０００９】
また、上記構成において、前記シャッターは、ソレノイドの駆動で開閉し、前記制御部は、前記ソレノイドに通電して前記シャッターを閉駆動させるようにしてもよい。この構成によれば、モーター駆動で閉駆動する場合に比して短時間でシャッターを閉じることができ、塵や虫の侵入を防止し、かつ、蓄電部の容量を小さくして小型・低コストとすることができる。
この場合、前記シャッターは、当該シャッターを閉側に付勢する付勢部材を有し、前記シャッター駆動部は、前記ソレノイドの保持力を開放して前記付勢部材の付勢力によって前記シャッターを閉じるようにしてもよい。この構成によれば、シャッターの閉駆動に要する電力量が少なくて済み、これによってもシャッターを確実に閉じることが可能になり、安価で長寿命な製品を提供することができる。
【００１０】
また、上記構成において、前記装置本体は、防塵フィルターが設けられる吸気口と、防塵フィルターが設けられることなく開口して前記通気用の開口部となる排気口とを有し、前記防塵フィルターと前記排気口を開閉する前記シャッターとによって、前記装置本体を防塵可能に構成されているようにしてもよい。この構成によれば、吸気口からの塵や虫の侵入は防塵フィルターによって防止され、シャッターで排気口を閉じることによって、投射型表示装置の通気口が閉じ、塵や虫の侵入を確実に防止することができる。
【００１１】
また、本発明は、画像を投射する画像投射部を備える装置本体と、装置本体が有する通気用の開口部を開閉するシャッターとを備え、外部電源を動作電力とする投射型表示装置の制御方法において、前記外部電源の電力供給停止を検出すると、その停止時間に基づいて瞬時停電か否かを判定し、瞬時停電でないと判定した場合に、前記外部電源の遮断と検出するステップと、前記外部電源の遮断が検出された場合に、前記外部電源からの電力を蓄電する蓄電部からの蓄電電力を用いて、前記装置本体の消費電力を低減する状態へ移行させるとともに、前記シャッターを閉駆動させる制御ステップとを備え、前記制御ステップでは、前記外部電源の電力供給停止が検出されると、前記光源の射出光量を低減させ、前記外部電源の遮断が検出された場合に、前記光源を駆動停止させることを特徴とする。
この構成によれば、シャッター制御に無関係な部分の消費電力を抑え、蓄電部に蓄えられる限りある電力をシャッターの閉駆動に割り振ることができ、外部電源の遮断時に確実に開口部を閉じることができる。また、無駄な電力消費を抑えるとともに、電源内部の蓄電部品を最適化することにより、コストやサイズも小さくできる。
【発明の効果】
【００１２】
本発明によれば、外部電源の遮断時に確実に開口部を閉じることができる。
【図面の簡単な説明】
【００１３】
【図１】本発明の実施形態に係るプロジェクターの内部構造を示す図である。
【図２】プロジェクターの機能構成を示すブロック図である。
【図３】排気口シャッターの開状態を示す斜視図である。
【図４】排気口シャッターの分解斜視図である。
【図５】排気口シャッターの閉状態を示す図である。
【図６】電源部を周辺構成と共に示す図である。
【図７】遮断制御を示すフローチャートである。
【図８】第２節電モードを示すフローチャートである。
【発明を実施するための形態】
【００１４】
以下、図面を参照して本発明の一実施の形態について説明する。
図１は、本発明の実施形態に係るプロジェクター（投射型表示装置）１０の内部構造を示す図であり、図２は、このプロジェクター１０の機能構成を示すブロック図である。
図１に示すように、このプロジェクター１０は、画像を表す画像光を投射する画像投射部２１を備え、この画像投射部２１により投射面となるスクリーン（不図示）に画像（投射画像）を表示させる装置であり、筐体１１内に画像投射部２１などのプロジェクター構成部品を配設した装置本体１２と、装置本体１２を覆う外装カバー（不図示）とを備えている。
筐体１１は、平面視で略長方形形状を有し、この筐体１１の左右側面（短辺）１１Ｌ、１１Ｒの一方側に吸気口１５が設けられ、他方側に排気口１６が設けられる。ここで、図１では、筐体１１の前面（画像投射部２１の投射レンズ５３が露出する面）を符号１１Ａを付して示し、筐体１１の背面を符号１１Ｂを付して示しており、筐体１１を前面１１Ａからみて左側の面を左側面１１Ｌと表記し、右側の面を右側面１１Ｒと表記している。
【００１５】
この筐体１１内には、吸気口１５側に冷却ファン３１が配置され、排気口１６側に排気口シャッター３２が配置され、この冷却ファン３１と排気口シャッター３２との間の領域に、画像投射部２１と電源部２２とが配置される。また、筐体１１内には、図２に示す制御部４４などを有する回路基板３３も配設される。外装カバーは、吸気口１５及び排気口１６を除いて筐体１１を覆う。これによって、冷却ファン３１によって、吸気口１５から外気が筐体１１内に導入され、この冷却風によって画像投射部２１などの各部が冷却された後に、排気口１６から排出される。
【００１６】
本構成のプロジェクター１０では、図１に示すように、通気用の開口部の一方側である吸気口１５に、防塵フィルター３４が配置され、通気用の開口部の他方側である排気口１６に、この排気口１６を開閉する排気口シャッター３２が配置されるので、いずれの開口部１５，１６からも塵や虫などの侵入を防止可能である。すなわち、このプロジェクター１０は、多塵地域での使用に適した「防塵プロジェクター」に構成されている。
また、本構成のプロジェクター１０は、画像投射部２１などの各部の動作時には冷却ファン３１による冷却を行うが、各部の材料の改良などで各部を動作停止させると直ちに冷却ファン３１による冷却を不要にできるように構成されている。
【００１７】
上記回路基板３３は、信号処理部４１、投射系駆動部４２、記憶部４３、制御部４４、音声駆動部４５、ファン駆動部４６、ランプ駆動部４７、端子駆動部４８、及び、排気口シャッター駆動部４９を有している（図２参照）。
図２に示すように、信号処理部４１は、ケーブル接続された外部機器（パーソナルコンピューターやＤＶＤプレーヤーなど）１８から映像信号ＳＡ（本構成では、画像のみの信号、或いは、画像と音声の両方を含む信号）を入力し、この信号ＳＡに対応する画像データに対して画像処理する画像処理系と、信号ＳＡに対応する音声データに対して音声処理する音声処理系とを備えている。
ここで、画像処理系は、画像データのフォーマットをインターレース方式からプログレッシブ方式に変換するＩＰ変換や、ＩＰ変換された画像データに対してサイズを拡大または縮小する解像度変換処理や、明度や彩度の調整といった種々の色調補正などを行う。
【００１８】
投射系駆動部４２は、画像投射部２１の液晶パネル５２や光源装置５１を駆動する液晶パネル駆動部及び光源駆動部として機能するものであり、信号処理部４１により画像処理が施された画像データに基づいて液晶パネル５２や光源装置５１を駆動し、画像を表示させる。
画像投射部２１は、図１に示すように、筐体１１の長辺の一方である背面１１Ｂに沿って延出すると共に筐体１１の短辺である側面１１Ｌ，１１Ｒに沿って前面１１Ａに向かって延出する平面視略Ｌ字形状を有しており、光源として機能する光源装置５１と、液晶パネル（液晶ライトバルブとも言う）５２（５２Ｒ，５２Ｇ，５２Ｂ）と、投射レンズ５３とを備えている。
光源装置５１は、キセノンランプ又は超高圧水銀ランプなどを備える。液晶パネル５２は、複数の画素をマトリクス状に配置した透過型液晶パネルで構成され、投射系駆動部４２の駆動により各画素の光透過率を変化させることにより、光源装置５１からの照明光（図１中、符号Ｌで示す）を画像を表す画像光へと変調し、投射レンズ５３から射出する。
【００１９】
本実施形態では、このプロジェクター１０が３ＬＣＤ式プロジェクターの場合を示している。この場合には、図１に示すように、Ｒ，Ｇ，Ｂの３色に対応する３枚の液晶パネル５２Ｒ，５２Ｇ，５２Ｂ及び光源装置５１の光の分離及び集光などを行うための光学部品（レンズ３２１〜３２４，３４１，３４３，調光装置３２５，ダイクロイックミラー３３１，３３２，反射ミラー３３３，３４２，３４４，偏光板３５１，３５３，プリズム３５４など）が設けられる。
この構成により、光源装置５１から出た光をＲ，Ｇ，Ｂの３色の光に分離し、液晶パネル５２Ｒ，５２Ｇ，５２Ｂをそれぞれ透過させ、プリズム３５４で合成してカラー画像を生成することができる。なお、画像投射部２１の構成は、図１に示す構成に限らず、公知の構成を広く適用でき、また、一枚の液晶パネル５２を備える公知の構成を適用してもよい。
【００２０】
図２に示すように、記憶部４３には、制御プログラムなどの各種プログラムや各種データが記憶される。
制御部４４は、記憶部４３に記憶された制御プログラムを読み出して実行することにより、プロジェクター１０の各部を制御するコンピューターとして機能する。
このプロジェクター１０には、スピーカーなどからなる音声出力部３５、ユーザーにプロジェクター１０の動作状態（電源オン、スタンバイ状態、エラー状態など）を報知するためのインジケーターランプランプ（本実施形態ではＬＥＤ（Light  Emitting  Diode））３６、トリガーアウトや電力信号（ＵＳＢバスパワー）を出力する出力端子３７（不図示の外部機器にトリガーアウトを出力するトリガーアウト端子、ＵＳＢ端子など）、及び、ユーザーが各種指示を行うための各種操作子を有する操作部３８などが更に設けられている。
【００２１】
音声駆動部４５は、制御部４４の制御の下、このプロジェクター１０の音声出力部３５を駆動し、信号処理部４１から出力された音声データに対応する音声、操作音、及び、警告音などの各種音声を放音させる。
ランプ駆動部４７は、制御部４４の制御の下、複数のインジケーターランプ（報知部）３６を選択的に駆動／非駆動（点滅も含む）することにより、各インジケーターランプ３６を点灯／消灯させ、これによって、電源オン、スタンバイ状態（電源オンよりも省電力の状態。一部の機能を有効にした状態（例えば、本体操作部（操作部３８）の操作や不図示のリモコン操作を受け付け、スタンバイモニターアウト機能などを有効にした状態））、エラー状態などをユーザーに報知する。
端子駆動部４８は、制御部４４の制御の下、このプロジェクター１０の電源オンを外部機器（スクリーン装置など）に通知するためのトリガーアウトや、ＵＳＢ接続された外部機器に電力供給するための電力信号を、出力端子３７を介して外部に出力させる。
【００２２】
排気口シャッター駆動部（シャッター駆動部）４９は、制御部４４の制御の下、排気口シャッター３２を開閉駆動するものであり、操作部３８の操作により電源オンされた場合に、排気口シャッター３２を開に駆動し、操作部３８の操作により電源オフされた場合に、排気口シャッター３２を閉に駆動する。
開閉検出部５０は、排気口シャッター３２の開閉を検出するスイッチ機構である。制御部４４は、この開閉検出部５０の検出結果を取得することによって、排気口シャッター３２の開閉状態を検出することが可能になっている。
【００２３】
ここで、図３は、排気口シャッター３２の開状態を示す斜視図であり、図４は排気口シャッター３２の分解斜視図である。図５は排気口シャッター３２の閉状態を示す図である。
図３〜図５に示すように、排気口シャッター３２は、矩形枠状の枠フレーム３３Ａと、枠フレーム３３Ａ内の開口（排気口１６に連通する開口）を長手方向に間隔をあけて開閉自在に配置される複数枚（本構成では８枚）のルーバー３３Ｂと、枠フレーム３３Ａにスライド自在に配置されるカムプレート３３Ｃと、カムプレート３３Ｃを作動させるソレノイド３３Ｄとを備えている。
【００２４】
図４に示すように、枠フレーム３３Ａは、上枠の一部を構成する板状部材３３Ｅを別体に備え、この枠フレーム３３Ａの下枠と板状部材３３Ｅとによって各ルーバー３３Ｂの上下端に突出する回動軸Ｊ１を回転自在に支持する。
この板状部材３３Ｅには、カムプレート３３Ｃが摺動自在に支持され、このカムプレート３３Ｃには、各ルーバー３３Ｂの回動軸Ｊ１とは距離をあけて上方に突出する突出軸Ｊ２が挿通される。
これにより、カムプレート３３Ｃを摺動させると、全てのルーバー３３Ｂが回動軸Ｊ１を支点に回動して枠フレーム３３Ａの開口を開閉する。
ソレノイド３３Ｄは、枠フレーム３３Ａに固定され、ソレノイド３３ＤのプランジャーＰがカムプレート３３Ｃの一端に連結される。なお、図中、符号３３Ｋは、ソレノイド駆動用の回路基板である。
【００２５】
この排気口シャッター３２には、カムプレート３３Ｃをシャッター閉側に付勢する付勢部材（本実施形態では、引張コイルばね）３３Ｓが設けられ、この付勢部材３３Ｓによって排気口シャッター３２を確実に閉じた状態に保持できるようになっている。
ソレノイド３３Ｄは、キープソレノイド型（自己保持形とも言う）のソレノイドであり、排気口シャッター駆動部４９により、付勢部材３３Ｓの付勢力に抗してカムプレート３３Ｃがソレノイド３３Ｄ側に引っ張られることにより、排気口シャッター３２が開駆動され（ソレノイドの吸引動作）、内蔵する永久磁石の起磁力により吸着することで、排気口シャッター３２を開いた状態に保持される（ソレノイドの吸着動作）。
また、このソレノイド３３Ｄは、排気口シャッター駆動部４９により、内蔵する永久磁石の起磁力を打ち消すコイルによる逆向きの起磁力により復旧することで、排気口シャッター３２を閉駆動する（ソレノイドの復旧動作）。
なお、この排気口シャッター３２の開閉を検出する開閉検出部５０は、排気口シャッター３２の板状部材３３Ｅに取り付けられ、上記カムプレート３３Ｃの位置に応じて開閉するスイッチ機構で構成されている。
【００２６】
図６は、電源部２２を周辺構成と共に示す図である。
電源部２２は、図示せぬプラグを介して屋内などに設置されたコンセントに接続されることにより、電力会社から送られる商用電源である外部電源の電力供給を受け、プロジェクター１０の各部へ電力供給する。すなわち、このプロジェクター１０は、外部電源を動作電力として駆動する。
ところで、本構成のプロジェクター１０は、防塵用プロジェクターであるため、停電やプラグが抜かれるなどで外部電源が遮断された場合に、排気口シャッター３２が開いたままになってしまうと、防塵が図れず、好ましくない。
そこで、本構成では、実質的な防塵性を向上するため、以下の構成を備え、外部電源の遮断時に、排気口シャッター３２を確実に閉じる制御を行うようにしている。以下、この点について詳述する。
【００２７】
まず、電源部２２は、停電やプラグの抜けなどにより予期せず外部電源の電力供給が遮断されると、出力信号ＰＷＤＳの信号レベルが切り替わる外部電源検出部２２Ａと、外部電源の電力を蓄電し、外部電源の遮断時に代替の電力を供給する蓄電部２２Ｂとを備えている。
上記外部電源検出部２２Ａの出力信号ＰＷＤＳは、制御部４４に出力され、制御部４４がこの出力信号ＰＷＤＳの信号レベルに基づいて外部電源が遮断されたか否かを判定するように構成されている。つまり、外部電源検出部２２Ａ及び制御部４４が、外部電源の遮断を検出する遮断検出部として機能する。
なお、図６中、符号Ｒ１，Ｒ２で示す抵抗は、電源電圧を所定の分圧比で分圧する分圧回路を構成する抵抗値であり、この分圧回路で分圧された電源電圧値が上記出力信号ＰＷＤＳとして使用される。
上記蓄電部２２Ｂには、電気二重層キャパシターなどのキャパシターが用いられる。電気二重層キャパシターは、電気化学的な反応によらず物理的に充放電を行う構成であるため、性能劣化がきわめて少なく、長期の信頼性に優れている。
【００２８】
次に、このプロジェクター１０の外部電源が意図せず遮断した場合の遮断制御（ダイレクトパワーオフ）を説明する。
図７は、この遮断制御を示すフローチャートである。この遮断制御は、外部電源の供給時でプロジェクターが電源オンの場合に所定の割り込み周期で繰り返し実行される処理である。
ここで、以下の説明において、排気口シャッター駆動部４９とそれ以外の駆動部４２〜４８を特に区別して説明する場合は、それ以外の駆動部４２〜４８を、まとめて駆動部Ｋ１（図２及び図６中、一点鎖線で囲って示す）と表記し、この駆動部Ｋ１の駆動対象を、まとめて被駆動部Ｋ２（図中、二点鎖線で囲って示す）と表記する。
【００２９】
まず、制御部４４は、外部電源検出部２２Ａの出力信号ＰＷＤＳに基づいて外部電源からの電力供給が停止したか否かを判定する（ステップＳ１）。具体的には、電力供給が停止した場合、出力信号ＰＷＤＳの信号レベルが低くなるため、制御部４４は、所定のしきい値を基準にして出力信号ＰＷＤＳがＨレベルからＬレベルに切り替わると、外部電源からの電力供給が停止したと判定する。
外部電源からの電力供給が停止すると（ステップＳ１：ＹＥＳ）、制御部４４は、直ちに、投射系駆動部４２により、光源装置５１の光量（ランプ輝度）を予め定めた低レベルに低減させる光量低減処理を開始すると共に（ステップＳ２）、電力供給の停止時間ＴＢＤに基づいて瞬時停電か否かを判定する瞬停判定処理を開始する（ステップＳ３）。なお、電力供給が停止した場合、直ちに蓄電部２２Ｂからの電力が動作電力として供給され、各部が動作を継続することができる。
【００３０】
この瞬停判定処理では、制御部４４は、停止時間ＴＢＤが予め定めた基準時間（本実施例では５０ｍｓｅｃ）を超えた場合に、瞬時停電ではない停電（つまり、外部電力の遮断（停電））と判定し（ステップＳ３：ＹＥＳ）、停止時間ＴＢＤが基準時間を超えないうちに電力供給が再開した場合に、瞬時停電と判定する（ステップＳ３：ＮＯ）。なお、光源低減処理では、ユーザーが画像鑑賞を継続可能な範囲で光量を下げ、消費電力を低減させている。
【００３１】
瞬時停電の場合（ステップＳ３：ＮＯ）、制御部４４は、光量低減処理を終了することにより、光源装置５１の光量（ランプ輝度）を通常光量に増大させ、第１節電モードから通常動作モードへと移行する（ステップＳ１０）。これによって、ユーザーが明るい画像で鑑賞を継続することができる。
すなわち、本構成では、外部電源からの電力供給が停止すると、被駆動部Ｋ２の中で最も消費電力が高い光源装置５１の消費電力を直ちに下げた第１節電モードへ移行する。この第１節電モードでは、ユーザーなどによる画像鑑賞を継続可能な範囲で光量を下げており、ユーザーなどによる画像鑑賞を継続させながら消費電力を効率よく下げることができる。
そして、瞬時停電の場合（ステップＳ３：ＮＯ）や外部電源の電力供給が停止していない場合（ステップＳ１：ＮＯ）には、プロジェクター１０が電源オン状態を継続して通常動作できる電源状態にあるため、排気口シャッター３２を開状態に維持し、当該遮断制御を一旦終了し、通常動作に戻ることができる。
【００３２】
一方、外部電源の遮断（停電）の場合（ステップＳ３：ＹＥＳ）、制御部４４は、駆動部Ｋ１により排気口シャッター３２以外の被駆動部Ｋ２の消費電力を低減する第２節電モードへと移行させる（ステップＳ４）。
図８は第２節電モードを示すフローチャートである。
図８に示すように、制御部４４は、投射系駆動部４２により光源装置５１を駆動停止（消灯）し（ステップＳ１１）、投射系駆動部４２により液晶パネル５２の電荷抜き処理を行った後に駆動停止し（ステップＳ１２）、音声駆動部４５により音声出力部３５を駆動停止し（ステップＳ１３）、ファン駆動部４６により冷却ファン３１を駆動停止し（ステップＳ１４）、端子駆動部４８により出力端子３７を駆動停止し（ステップＳ１５）、ランプ駆動部４７によりインジケーターランプ３６を駆動停止する（ステップＳ１６）。なお、この駆動停止する順番は、電力消費の大きいものから順に行っており、電力消費を効率よく低減することができる。なお、図８では、制御部４４が各部を順に駆動停止する場合を示しているが、制御部４４が並行処理可能な場合は、各部を同時に並行して迅速に駆動停止させるようにしてもよい。
【００３３】
これにより、第１節電モードよりもプロジェクター１０の消費電力をより低減することができ、蓄電部２２Ｂの電力消費を効率よく抑えることができる。なお、液晶パネル５２駆動時に、各画素の輝度に対応した電荷を蓄える書き込み期間があるが、上記電荷抜き処理は、この蓄えられた電荷を抜く（放電する）処理である。これによって、液晶パネル５２をリセットした状態で駆動停止させることができる。
【００３４】
このように第２節電モードへ移行すると、制御部４４は、直ちに、排気口シャッター駆動部４９により排気口シャッター３２を閉駆動させる制御を行う（ステップＳ５）。具体的には、制御部４４は、ソレノイド３３ＤのプランジャーＰを復帰させるべく、吸引動作と逆特性の電流を通電し、吸着保持力を小さくすることで、付勢部材３３Ｓの付勢力によってプランジャーＰを引き離し、このソレノイド３３Ｄの復帰動作により排気口シャッター３２を閉じる。なお、この場合の通電時間は、ソレノイド３３Ｄの復帰動作に十分な予め定めた時間とされ、この時間が経過すると、ソレノイド３３Ｄへの通電を停止する。以上が遮断制御（ダイレクトパワーオフ）である。
【００３５】
以上説明したように、本構成では、制御部４４が、外部電源の遮断（停電）が検出された場合に、装置本体１２の消費電力を低減する状態、つまり、排気口シャッター駆動部４９以外の駆動部Ｋ１により排気口シャッター３２以外の被駆動部Ｋ２の消費電力を低減する状態である第２節電モードへと移行させるとともに、排気口シャッター駆動部４９により排気口シャッター３２を閉駆動させるので、シャッター制御に無関係な部分の消費電力を抑え、蓄電部２２Ｂに蓄えられる限りある電力を、排気口シャッター３２の閉駆動に割り振ることができ、シャッター３２の閉駆動に必要な電力を確保できる。
従って、蓄電部２２Ｂの蓄電容量を小さくしながら、外部電源の遮断時に確実に排気口シャッター３２を閉じてプロジェクター１０の排気口１６を閉じることができる。また、この構成によれば、プロジェクター１０のプラグがコンセントから抜かれた場合も排気口シャッター３２が確実に閉じてプロジェクター１０の排気口１６を閉じることができる。
また、無駄な電力消費を抑えるとともに、電源内部の蓄電部品を最適化することにより、コストやサイズも小さくできる。
【００３６】
上記したように、本構成のプロジェクター１０は、吸気口１５に防塵フィルター３４が設けられているため、吸気口１５からの塵や虫の侵入は防塵フィルター３４によって防止される。このため、排気口シャッター３２で排気口１６を閉じることによって、プロジェクター１０の通気口が閉じ、プロジェクター１０への塵や虫の侵入が確実に防止される。
従って、このプロジェクター１０は、外部電源が意図せず遮断した電源遮断状態、及び、ユーザーが意図的にプラグを抜いた電源遮断状態のいずれの場合でも、外部から塵や虫の侵入を確実に防止することが可能になる。
これらにより、本構成では、蓄電部２２Ｂの小型化により低コスト及び小型化に優れ、かつ、停電時やプラグを抜いた状態で確実に開口部が閉じ、塵や虫の侵入防止に優れた防塵プロジェクターを提供することが可能になる。
【００３７】
また、遮断検出部として機能する外部電源検出部２２Ａ及び制御部４４は、外部電源の電力供給停止を検出すると、その停止時間ＴＢＤに基づいて瞬時停電か否かを判定する瞬停判定処理を開始し、この瞬停判定処理で瞬時停電でない停電と判定した場合に、外部電源の遮断と検出するので、瞬時停電と外部電源の遮断とを切り分けることで、誤動作の発生を抑えることができる。この場合、瞬時停電の場合は、排気口シャッター３２の閉塞と機能の停止及び再起動を行うことなく、プロジェクター１０を継続動作させることができ、使い勝手が向上する。
すなわち、放電ランプ（以降、ランプとも言う）を投射型表示装置１０の光源装置５１として採用した場合、一旦消灯したランプを再点灯するには一定の待ち時間を必要とするところ、本構成によれば、ごく短時間の瞬時停電が生じて外部電源の電圧低下が検出されても、直ちに光源装置５１への電力供給を停止しないので、ランプの点灯を継続することができる。外部電源の電圧低下を検出したときに、直ちにランプへの電力供給を停止する構成の場合、ランプの再点灯に必要な待ち時間が経過するまで画像を表示することができないのに対して、本構成ではそのような問題が生じない。
【００３８】
さらに、制御部４４は、瞬停判定処理が開始された場合、駆動部Ｋ１により光源装置（光源）５１の射出光量を低減させ、瞬時停電でない停電と判定された場合に、駆動部Ｋ１により光源装置５１を駆動停止させるので、停電時或いはプラグが抜かれると直ちに光源装置５１の消費電力を低減することができ、蓄電部２２Ｂの蓄電電力の節約を図ることができる。また、瞬時停電であれば、光源装置５１の消費電力を低減しながらも駆動停止はしないので、ユーザーなどが画像鑑賞を継続することが可能になる。
【００３９】
また、駆動部Ｋ１は、外部電源の遮断が検出された場合に、冷却ファン３１の駆動停止、液晶パネル５２の電荷抜き処理後の駆動停止、音声出力部３５の駆動停止、出力端子３７及びインジケーターランプ３６の駆動停止を行うので、シャッター制御に関係のない部分を全て駆動停止させることができ、極力、電力消費を抑え、排気口シャッター３２の閉駆動に必要な電力を確保できる。
しかも、排気口シャッター３２は、ソレノイド３３Ｄの駆動で開閉し、排気口シャッター駆動部４９は、ソレノイド３３Ｄに通電して排気口シャッター３２を閉駆動するので、モーター駆動で閉駆動する場合に比して短時間で排気口シャッター３２を閉じることができ、これによっても、塵や虫の侵入を防止し、かつ、蓄電部２２Ｂの容量を小さくして小型・低コストとすることができる。
また、本構成では、排気口シャッター３２を閉側に付勢する付勢部材３３Ｓを備え、ソレノイド３３Ｄの保持力を開放して付勢部材３３Ｓの付勢力によって排気口シャッター３２を閉じるので、シャッター３２の閉駆動に要する電力量が少なくて済み、これによってもシャッター３２を確実に閉じることが可能になり、安価で長寿命な製品を提供することができる。
【００４０】
上述した実施形態は、あくまでも本発明の一態様を示すものであり、本発明の主旨を逸脱しない範囲で任意に変形及び応用が可能である。
例えば、上述した実施形態では、シャッター制御に関係のない部分を全て駆動停止させる場合について説明したが、これに限らず、少なくともいずれかを駆動停止させてもよく、例えば、インジケーターランプ３６については消費電力が小さいので、駆動停止せず、インジケーターランプ３６により、プロジェクター１０の動作状態（電源オン、スタンバイ状態、エラー状態など）を報知し続けるようにしてもよい。
また、駆動停止させて各部の消費電力を零にする構成に限らず、光源装置（光源）５１の射出光量を低減させた状態や、冷却ファン３１の回転数を低減させた状態や、音声出力部３５をミュート状態にする、といったように消費電力を低減させた状態にしてもよい。
また、蓄電部２２Ｂの構成は電気二重層キャパシターに限定されるものではなく、電解コンデンサーなど、種々の素子を採用することが可能である。
また、光源装置５１にＬＥＤを用いてもよい。光源装置５１にＬＥＤを用いた場合には、消灯直後に即再点灯が可能なので、射出光量を低減させる光量低減処理（ステップＳ２）に代えて、光源装置５１の駆動を停止して完全に消灯させてもよい。
【００４１】
また、上述した実施形態では、排気口シャッター３２を設ける場合を説明したが、これに限らず、吸気口１５にシャッターを設けてもよいし、投射レンズ５３にレンズ保護用のシャッター（レンズシャッター）を設けてもよい。要は、外部電源の遮断時（プラグが抜かれた場合を含む）に閉じたいシャッターを制御する技術に本発明を広く適用可能である。
また、上述した実施形態では、外部電源検出部２２Ａ及び制御部４４が、外部電源の遮断を検出する遮断検出部として機能する場合を説明したが、これに限らず、制御部４４が遮断検出部の一部を兼用せず、遮断検出部を別途設けてもよい。
また、上述したプロジェクター１０は、透過型の液晶パネル５２を用いて画像をスクリーンに投射するタイプであったが、反射型液晶パネルを用いたプロジェクターであってもよいし、デジタルミラーデバイスを用いたＤＭＤ方式のプロジェクターであってもよい。また、３つの液晶パネル５２によりカラー画像を投射する３ＬＣＤ方式のプロジェクターに限らず、１つの液晶ライトバルブを用いてＲＧＢに対応する画像を時分割表示してカラー画像を投射するプロジェクター、カラーホイールを備えた単板ＤＭＤ方式のプロジェクター、及び、３ＤＭＤ方式のプロジェクターのいずれにも本発明を適用可能である。要は、シャッターを有する投射型表示装置に本発明を広く適用可能である。
【符号の説明】
【００４２】
１０…プロジェクター（投射型表示装置）、１１…筐体、１２…装置本体、２１…画像投射部、１５…吸気口（開口部）、１６…排気口（開口部）、２１…画像投射部、２２…電源部、２２Ａ…外部電源検出部（遮断検出部）、２２Ｂ…蓄電部、３１…冷却ファン、３２…排気口シャッター（シャッター）、３３Ｄ…ソレノイド、３３Ｓ…付勢部材、３４…防塵フィルター、３５…音声出力部、３７…出力端子、３８…操作部、４１…信号処理部、４２…投射系駆動部、４３…記憶部、４４…制御部（遮断検出部）、４５…音声駆動部、４６…ファン駆動部、４７…ランプ駆動部、４８…端子駆動部、４９…排気口シャッター駆動部（シャッター駆動部）、５１…光源装置、５２，５２Ｒ，５２Ｇ，５２Ｂ…液晶パネル、５３…投射レンズ、Ｋ１…排気口シャッター駆動部以外の駆動部、Ｋ２…排気口シャッター以外の被駆動部。
【図１】
0005533537.tif 000002
【図２】
0005533537.tif 000003
【図３】
0005533537.tif 000004
【図４】
0005533537.tif 000005
【図５】
0005533537.tif 000006
【図６】
0005533537.tif 000007
【図７】
0005533537.tif 000008
【図８】
0005533537.tif 000009